(57)【特許請求の範囲】
【請求項１】
建物開口部を閉鎖する開閉体と、
開放状態にある建物開口部を上記開閉体が天井面側から床面側に向かって閉鎖させる動作を、防災信号の到来により開始させる閉鎖動作起動手段と、
上記開閉体の閉鎖動作が開始された直後に、上記開閉体の閉鎖動作の起動を検知する開閉体動作状態検知手段と、
上記開閉体動作状態検知手段が検知したときから、上記開閉体の閉鎖動作がなされている期間であって上記開閉体動作状態検知手段による検知が継続している期間、人間の感覚に訴える表示動作を行う、上記建物開口部近傍であって上記天井面より２０〜３０ｃｍ低い位置に設けられた、電源と共に独立したユニットとして構成されている表示手段とを有し、
上記開閉体動作状態検知手段は、上記開閉体の閉鎖方向の端部が上限リミットスイッチのアームを揺動させることにより、上記開閉体の閉鎖動作の起動を検知し、それ以降、上記上限リミットスイッチが継続して作動状態をとっている閉鎖動作期間も検知状態を継続する
ことを特徴とする建物開口部用開閉装置。
【請求項２】
上記開閉体動作状態検知手段及び上記表示手段間を結ぶ配線は金属モールされていることを特徴とする請求項１に記載の建物開口部用開閉装置。
【請求項３】
上記表示手段が表示動作を実行する際に必要な電力を供給する上記表示手段専用の電源手段を有することを特徴とする請求項１又は２に記載の建物開口部用開閉装置。
【請求項４】
上記表示手段は、複数の表示態様の表示動作を時間をずらせて行うものであることを特徴とする請求項１〜３のいずれかに記載の建物開口部用開閉装置。
【請求項５】
上記表示手段は、少なくとも１つの表示態様での表示動作を、上記開閉体の所定位置、又は、位置の所定の変化によって終了させることを特徴とする請求項１〜４のいずれかに記載の建物開口部用開閉装置。
【請求項６】
上記表示手段は、少なくとも１つの表示態様での表示動作を、その表示態様での表示動作の開始から、所定時間の経過をもって終了させることを特徴とする請求項１〜５のいずれかに記載の建物開口部用開閉装置。
【発明の詳細な説明】
【０００１】
【発明の属する技術分野】
本発明は建物開口部を開閉する建物開口部用開閉装置に関し、例えば、シャッター、ドア、オーバーヘッドドア、ブラインド、ロールスクリーン等に適用し得るものである。
【０００２】
【従来の技術】
例えば、防火シャッターは、火災に伴う高熱や煙等の検知により、閉鎖動作が起動されて開口部を閉鎖し、延焼等を防止するように機能するものである。
【０００３】
また、最近においては、各種のシャッターとして、開閉をリモコン操作で起動できるものも多く適用されている。
【０００４】
【発明が解決しようとする課題】
防火シャッターの場合、火災に伴う高熱や煙等の検知によって自動的に降下するものである。このような自動降下が行われる場合において、防火シャッターの近傍にいる人から見れば、防火シャッターが突然に作動を始めるので、驚き戸惑うことが多い。仮に、防火システムがその放送機能によって建物内の全域に火災発生を報知していたとしても、防火シャッターの突然の作動により、防火シャッターの近傍にいる人の驚き戸惑いは大きい。
【０００５】
また、リモコン操作可能なシャッターにおいて、リモコンの操作者は、シャッターの開放又は閉鎖動作の開始を当然に認識できるが、リモコンの操作者以外にシャッターの近傍に人がいたならば、シャッターの突然の作動により、その人の驚き戸惑いは大きい。例えば、ガレージ用シャッターにおいて、道路側から運転者がリモコン操作で開放を指示した場合において、ガレージ内に他の人がいた場合には、ガレージ内の人の驚き戸惑いは大きい。
【０００６】
また例えば、防火シャッターの閉鎖動作時においても、シャッターで閉鎖されていない開口部の面積によって、その近傍の人の対応が異なる。例えば、閉鎖動作を開始した直後であれば、開口部の面積が十分に確保されているので、人がシャッターを通過できるが、全閉鎖状態になる直前程度では、人が十分に通過できる開口部の面積が確保されておらず、シャッターを通過することがない避難経路に向かうことになる。これらのことは、シャッターの近傍にきた人が全て判断する。しかしながら、シャッターの閉鎖動作パターンも多様化しており、判断を誤る可能性もあり得る。
【０００７】
さらに、シャッターを見える範囲に人がいる場合であっても、その人が何らかの動作などに夢中で、シャッターが閉鎖動作していることやシャッターが開放動作していることに気付かないこともあり得る。
【０００８】
本発明は、以上の点を考慮してなされたものであり、開閉体の動作起動に伴う周囲の人への情報提供機能を備えた建物開口部用開閉装置を提案しようとしたものである。
【０００９】
【課題を解決するための手段】
かかる課題を解決するため、本発明の建物開口部用開閉装置は、建物開口部を閉鎖する開閉体と、開放状態にある建物開口部を開閉体が天井面側から床面側に向かって閉鎖させる動作を、防災信号の受信により開始させる閉鎖動作起動手段と、開閉体の閉鎖動作が開始された直後に、開閉体の閉鎖動作の起動を検知する開閉体動作状態検知手段と、開閉体動作状態検知手段が検知したときから、開閉体の閉鎖動作がなされている期間であって開閉体動作状態検知手段による検知が継続している期間、人間の感覚に訴える表示動作を行う、建物開口部近傍であって天井面より２０〜３０ｃｍ低い位置に設けられた、電源と共に独立したユニットとして構成されている表示手段とを有し、開閉体動作状態検知手段は、開閉体の閉鎖方向の端部が上限リミットスイッチのアームを揺動させることにより、開閉体の閉鎖動作の起動を検知し、それ以降、上限リミットスイッチが継続して作動状態をとっている閉鎖動作期間も検知状態を継続することを特徴とする。
【００１０】
第１及び第２の本発明共に、上述の表示手段の表示動作によって、建物開口部用開閉装置の周囲の人は、その表示が意味する情報を知得することができる。
【００１１】
【発明の実施の形態】
（Ａ）一実施形態
以下、本発明による建物開口部用開閉装置を、防火シャッターに適用した一実施形態を図面を参照しながら詳述する。この実施形態の防火シャッターはスラットシャッターである。
【００１２】
ここで、図１が、この実施形態の防火シャッターの構成を示す概略構成図である。
【００１３】
図１において、この実施形態の防火シャッター１は、建物開口部の両側に上下方向に延びるように設けられた一対のガイドレール２ａ及び２ｂと、この一対のガイドレール２ａ及び２ｂに案内されて上下動するスラット３とを有する。天井面より上部の空間が、建物開口部の開放状態でスラット３を収納する収納空間４となっている。なお、天井面の下部にスラット３などを収納する収納ボックスが、上記収納空間に代えて設けられているものであっても良い。
【００１４】
収容空間４には、開放状態ではスラット３を巻回していて閉鎖動作時にスラット３が引き出される巻取シャフト５や、少なくとも閉鎖動作での駆動力を発生する開閉機６や、開閉機６の駆動力を巻取シャフト５に伝達する動力伝達機構（例えばスプロケット及びチェーンでなる）７や、外部からの防災信号に応じて開閉機６に対して閉鎖動作での駆動力の発生を起動する自動閉鎖装置８が設けられている。
【００１５】
なお、閉鎖状態から開放状態へのスラット３の移動も、開閉機６の駆動力によるものであっても良く、また、図示は省略しているが手動式であっても良い。また、閉鎖動作も、開閉機６が駆動力を発生して行うのではなく、開閉機６が、スラット３の開放時の位置ロック機構を解除し、スラット３の自重やバネなどの弾性力で閉鎖させるものであっても良い。
【００１６】
上述した防災信号は、防災動作を起動するための信号であって、当該防火シャッター１に対応した個別の煙感知器や高熱感知器が出力するものであっても良く、また、建物全体の防災を管理している中央監視センタが出力するものであっても良い。
【００１７】
この実施形態の防火シャッター１の場合、以上のような従来と同様な構成要素に加えて、さらに、以下のような構成要素を備えている。
【００１８】
すなわち、この実施形態の防火シャッター１は、スラット動作状態検知部９及び表示機器１０を備えている。
【００１９】
この実施形態の場合、スラット動作状態検知部９は、閉鎖動作の起動と、閉鎖動作の終了とを検知するものとする。
【００２０】
閉鎖動作の起動の検知構成（図２の符号９ａ参照）としては、スラット３の下部に設けられている座板３ａによってアームが揺動して閉鎖動作の起動を検知するリミットスイッチ（上限リミットスイッチ）や、開閉機６の回転開始を検出する開閉機連動型のリミットスイッチや、スラット３の適宜の位置の設けられた反射板からの反射光を検出することで閉鎖動作の起動を検知する光電スイッチなどを適用できる。これらの場合には、閉鎖動作が開始された直後に、閉鎖動作の起動を検知するものとなる。また、閉鎖動作の起動の検知構成として、上述した外部からの防災信号の受信を閉鎖動作の起動と認識するものや、上述した外部からの防災信号の受信時点から、閉鎖動作に移行するまでの必要時間程度の所定時間を計時して閉鎖動作の起動を認識するものも適用できる。
【００２１】
閉鎖動作の終了の検知構成（図２の符号９ｂ参照）としては、閉鎖状態になる直前にスラット３の適宜の位置に設けられている突片によってアームが揺動して閉鎖動作の終了を検知するリミットスイッチ（下限リミットスイッチ）や、開閉機６の回転終了を検出する開閉機連動型のリミットスイッチや、スラット３の適宜の位置の設けられた反射板からの反射光を検出することで閉鎖動作の終了を検知する光電スイッチなどを適用できる。これらの場合には、閉鎖動作が終了される直前に、閉鎖動作の終了を検知するものとなる。また、閉鎖動作の終了の検知構成として、上述した外部からの防災信号の受信時点から、閉鎖動作時間より長い所定時間を計時して閉鎖動作の終了を認識するものも適用できる。
【００２２】
なお、スラット３の位置管理のためのリミットスイッチなどを既に備えているものであれば、それをスラット動作状態検知部９の構成要素として併用するようにしても良い。
【００２３】
図２は、スラット動作状態検知部９の具体的な構成の一例を示すブロック図である。
【００２４】
この一例のスラット動作状態検知部９は、上限リミットスイッチ９ａ及び下限リミットスイッチ９ｂからなるものである。上限リミットスイッチ９ａ及び下限リミットスイッチ９ｂはそれぞれ、当該リミットスイッチの非作動時に選択される非作動時選択端子ａと、当該リミットスイッチの作動時に選択される作動時選択端子ｂと、コモン端子ｃとを有するものである。
【００２５】
上限リミットスイッチ９ａのコモン端子ｃは、信号線９ｃを介して表示機器１０に接続されている。また、上限リミットスイッチ９ａのコモン端子ｃは、当該リミットスイッチ９ａが非作動のときは非作動時選択端子ａに接続され、一方、当該リミットスイッチ９ａが作動したときには作動時選択端子ｂに接続される。
【００２６】
この例での上限リミットスイッチ９ａは、スラット３の閉鎖起動を検出した以降、継続して作動状態をとるものである。
【００２７】
下限リミットスイッチ９ｂのコモン端子ｃは、信号線９ｄを介して表示機器１０に接続されている。また、下限リミットスイッチ９ｂのコモン端子ｃは、当該リミットスイッチ９ｂが非作動のときは非作動時選択端子ａに接続され、一方、当該リミットスイッチ９ｂが作動したときには作動時選択端子ｂに接続される。
【００２８】
この例での下限リミットスイッチ９ｂは、スラット３の全閉鎖（又は全閉鎖の直前）を検出した以降、継続して作動状態をとるものである。
【００２９】
また、上限リミットスイッチ９ａの作動時選択端子ｂと下限リミットスイッチ９ｂの非作動時選択端子ａとは信号線９ｅを介して常時接続されており、一方、上限リミットスイッチ９ａの非作動時選択端子ａと下限リミットスイッチ９ｂの作動時選択端子ｂとはそれぞれ、常時開放端子となされている。
【００３０】
すなわち、図２に示す一例のスラット動作状態検知部９においては、上限リミットスイッチ９ａがスラット３の閉鎖起動を検出してから、下限リミットスイッチ９ｂがスラット３の全閉鎖（又は全閉鎖の直前）を検出するまでの間だけ、信号線９ｃ−上限リミットスイッチ９ａ−信号線９ｅ−下限リミットスイッチ９ｂ−信号線９ｄでなるループが構成され、表示機器１０は、電流が流れるか否かによって、このループが形成されているか否かを検出できる。言い換えると、表示機器１０は、スラット３の閉鎖起動（電流経路の導通開始）と、スラット３の全閉鎖（導通していた電流経路の遮断）とを検出できる。さらに言い換えると、導通期間は閉鎖動作期間とほぼ一致している。
【００３１】
表示機器１０は、スラット動作状態検知部９からの検知信号の受信によって、防火シャッター１の近傍にいる人に対して、情報提供動作（表示動作）を行うものである。
【００３２】
表示機器１０は、情報提供動作が確実になされるように、例えば、いずれか一方のガイドレール２ａ又は２ｂの近傍の壁面に設けられている。また、表示機器１０は、防火シャッター１の開口部を適宜通過している通常の生活者が不必要に触ることがないように、天井面より２０ｃｍ〜３０ｃｍ程度低い位置に設けることが好ましい。表示機器１０は、物理的には、例えば、縦横１０ｃｍ×１０ｃｍ、奥行数ｃｍ程度の箱形状が好ましい。悪戯などの対象とならないように存在が目立たず、しかも、情報提供動作（表示動作）の必要時にはその機能を十分に発揮できる点を考慮すると、上述した物理的な大きさの程度が好ましい。
【００３３】
スラット動作状態検知部９及び表示機器１０間を結ぶ信号線（配線）１１（上述した図２の例では信号線９ｃ及び９ｄ）は、壁面上では、金属モールされている。これは、樹脂モールに比較して、以下の点で利点を有するためである。火災時の炎に対する内部配線の保護をより図れる。外部からの衝撃に対する耐性が大きく、経時変化が少ない。金属光沢のために、見栄えが良好である。なお、学校に設置される防火シャッターでは、児童や生徒による悪戯をも考慮すると、この点でも金属モールが好ましい。
【００３４】
表示機器１０は、図１に示すように、電気的には、大きくは、表示部２０及び電源部３０からなる。表示部２０は、表示動作を実行する部分であり、電源部３０は、表示部３０が表示動作するための動作電源を供給するものである。
【００３５】
図３は、この実施形態の防火シャッター１での表示部２０の詳細構成の一例を示すブロック図である。
【００３６】
図３に示す構成例では、表示部２０は、入力検出部２１、動作制御部２２、ランプ２３、音声合成部２４、スピーカ（ＳＰ）２５及び動作許可・禁止指令部２６などを有している。
【００３７】
入力検出部２１は、スラット動作状態検知部９からの検知信号を受信して動作制御部２２に与えるものである。スラット動作状態検知部９が、例えば、上述した図２に示す構成例のものであれば、入力検出部２１は、電流経路の導通開始を検出したときに、スラット３の閉鎖起動を動作制御部２２に通知し、導通していた電流経路の遮断を検出したときに、スラット３が全閉鎖したこと（又は全閉鎖直前であること）を動作制御部２２に通知する。
【００３８】
動作許可・禁止指令部２６は、防火シャッター１の近傍にいる人に対して情報提供動作（表示動作）を行うことを許可する状態か禁止する状態かが設定されるものであり、その設定内容の信号は、動作制御部２２に与えられる。
【００３９】
動作許可・禁止指令部２６は、例えば、トグルスイッチでなり、そのトグルスイッチの位置状態で、当該動作許可・禁止指令部２６を操作した者は、表示動作許可状態か表示動作禁止状態かを確認できる。また、動作許可・禁止指令部２６としては、プッシュスイッチや、プッシュプッシュスイッチなどを適用できるが、この場合には、動作許可・禁止指令部２６の構成要素として、設定状態が表示動作許可状態か表示動作禁止状態かを区別するための発光素子をも設けることが好ましい。
【００４０】
なお、動作許可・禁止指令部２６に対しては、例えば、保守者が当該防火シャッター１のスラット３の降下を確認するような保守点検時に、表示動作禁止状態に設定して表示動作が建物内で活動している人に悪影響を及ぼすことを防止し、また、電源部３０での無駄な電力消費がないようにし（電源部３０が電池の場合には有効である）、このような時以外には、表示動作許可状態に設定して真の防災信号の発生に伴って起動される閉鎖動作に応じて表示動作が行うことができるようにされる。表示動作禁止状態に設定して保守点検を行った後、表示動作許可状態に復帰させることが確認できるように、上述のように、トグルスイッチを適用したり、発光素子を設けたりすることが好ましい。保守点検時に表示動作をも確認する場合には、表示動作許可状態を継続設定しておけば良い。
【００４１】
また、動作許可・禁止指令部２６を表示動作の禁止状態に設定した後、表示動作の許可状態に復帰させることは当該表示機器１０を表示動作が可能な初期状態に復帰させることを意味する。例えば、仮に、表示動作の実行中に、動作許可・禁止指令部２６を表示動作の禁止状態に設定すれば、表示動作は中止され、その後、表示動作の許可状態に復帰させれば、その後、所定の表示条件が揃えば再び表示動作を最初から行うこととなる。
【００４２】
動作制御部２２は例えばＣＰＵ及びＲＯＭなどでなり、表示動作の実行有無などを制御するものである。動作制御部２２は、動作許可・禁止指令部２６によって表示動作禁止状態が設定されているときには、入力検出部２１の検出状態に拘わらず、表示動作を実行させないものである。一方、動作制御部２２は、動作許可・禁止指令部２６によって表示動作許可状態が設定されているときには、入力検出部２１の検出状態に応じ、少なくともスラット３が閉鎖動作している間、表示動作を実行させるものである。
【００４３】
ランプ２３は、動作制御部２２の制御下で、視覚的な表示動作を行うものである。ランプ２３としては、例えば、発光光が回転しているように見える、点灯による注意の喚起力が高い回転灯を適用できる。また、ランプ２３として、単なる点灯又は消灯しかできないランプをも適用でき、この場合には、表示動作期間で点灯させているよりは、点滅（点灯又は消灯の繰り返し）の方が周囲の者に対する注意の喚起力が高いので好ましい。
【００４４】
音声合成部２４は、動作制御部２２の制御下で、表示動作期間の間に、所定のメッセージに係る音声信号をスピーカ２５に与えるものである。音声合成部２４としては、例えば、汎用的な音声合成用集積回路を適用でき、この場合には、メッセージデータ自体は、動作制御部２２から与えられて音声合成を行う。また、音声合成部２４として、例えば、専用的な音声合成用集積回路を適用でき、この場合には、メッセージデータ自体も音声合成部２４が記憶し、動作制御部２２から出力起動を与えられたときに内部保持のデータに基づいて音声合成を行うことになる。
【００４５】
なお、音声合成部２４に代えて、メッセージに係るアナログ音声信号をアナログ／デジタル変換したメッセージデータをそのまま記憶している記憶部と、この記憶部から読み出されたデジタル音声信号をデジタル／アナログ変換するＤ／Ａ変換部との組合せ構成を適用するようにしても良い。
【００４６】
音声合成部２４は、メッセージ音声信号を１回だけ出力するものではなく、表示動作の終了が指示されるまでは、指示されたメッセージ音声信号を繰り返し出力するものである。
【００４７】
スピーカ２５は、音声合成部２４から与えられた音声信号を発音出力するものである。ここで、スピーカ２５には、操作者の操作に応じて音量を調整する音量調整部や、音声合成部２４からの音声信号を増幅する音声増幅部や、雑音などの不要成分を除去するフィルタなどが適宜設けられているものであっても良い。
【００４８】
上述から明らかなように、音声合成部２４及びスピーカ２５が聴覚的な表示動作を行うものとなっている。
【００４９】
図４は、この実施形態の防火シャッター１での電源部３０の詳細構成の一例を示すブロック図である。
【００５０】
図４に示す構成例では、電源部３０は、太陽電池３１、充電回路３２及び２次電池３３から構成されている。
【００５１】
太陽電池３１は、周囲光（例えば太陽光）を電気量に変換するものであり、その変換電力は充電回路３２に与えられる。
【００５２】
充電回路３２には、太陽電池３１による変換電力に加えて、１次電源（当該防火シャッター１が設けられている建物での配線による電源）も供給されている。
【００５３】
充電回路３２は、太陽電池３１による変換電力での電圧と１次電源での電圧とが異なっているので、内部的には、２個の充電部で構成されている。充電回路３２は、太陽電池３１による変換電力に基づいて２次電池３３を充電させると共に、１次電源に基づいて２次電池３３を充電させるものである。
【００５４】
２次電池３３による電力が表示部２０での動作電力（動作電圧）として供給される。２次電池３３としては、例えば、複数の充電可能な乾電池形状のものを直列に接続したものを適用できる。
【００５５】
図５は、この実施形態の防火シャッター１における火災発生からの全体動作の概要を、表示動作を中心として示すフローチャートである。
【００５６】
図５において、当該防火シャッター１は外部装置から防災信号が与えられることを監視している（ステップＳ１）。火災が発生して当該防火シャッター１の閉鎖が必要となると、外部装置から、当該防火シャッター１に防災信号が与えられる。
【００５７】
このときには、自動閉鎖装置８は、防災信号の到来に応じて開閉機６に対してスラット３の閉鎖動作を起動させ、開閉機６の駆動力が動力伝達機構７を介して巻取シャフト５に伝達されてスラット３が降下し始める（ステップＳ２）。また、スラット３の閉鎖動作の起動は、スラット動作状態検知部９によって検出されて表示機器１０に通知される（ステップＳ３）。
【００５８】
スラット３の閉鎖動作の起動が通知された表示機器１０においては、表示部２０が、電源部３０からの電源供給を受けて表示動作を実行する（ステップＳ４）。すなわち、動作制御部２２は、ランプ２３に、回転点灯、点滅、固定点灯などのいずれかを実行させて、視覚的な表示動作を実行させると共に、音声合成部２４から、所定のメッセージに係る音声信号をスピーカ２５に与えさせて、スピーカ２５からメッセージ音声信号を発音出力させる。
【００５９】
メッセージ音声信号が指示するメッセージは、閉鎖動作を直接的に表すものであっても良く、閉鎖動作に関連する情報を表すものであっても良い。閉鎖動作を直接的に表すメッセージの例としては、「シャッターが動作しています。ご注意下さい。」を挙げることができ、閉鎖動作に関連する情報のメッセージの例としては、「火災発生。避難して下さい。」を挙げることができる。
【００６０】
このような表示動作は、スラット動作状態検知部９が、スラット３による全閉鎖（又は全閉鎖直前）を検知するまで実行される（ステップＳ５、Ｓ６）。すなわち、表示機器１０は、スラット動作状態検知部９から、スラット３による全閉鎖（又は全閉鎖直前）が通知されたときには、ランプ２３による視覚的な表示動作や、スピーカ２５からの聴覚的な表示動作を終了させる。
【００６１】
以上のようにして、この実施形態の防火シャッター１においては、閉鎖動作を実行している全期間（又はほぼ全期間）において表示動作を行う。
【００６２】
なお、以上の動作は、表示機器１０の動作許可・禁止指令部２６での設定状態が表示動作の許可状態である場合の動作である。
【００６３】
例えば、防火シャッター１の保守点検時において、表示動作が就業者の業務や学生の勉学の邪魔になるような場合には、保守者は、表示機器１０の動作許可・禁止指令部２６での設定状態を表示動作の禁止状態にして、スラット３の降下だけを確認することもある。この場合には、表示機器１０においては、閉鎖動作の起動信号が与えられても表示動作は実行しない。
【００６４】
上述した実施形態の防火シャッター１によれば、以下の効果を奏することができる。
【００６５】
スラット３の閉鎖起動と共に、閉鎖動作に関連した情報の表示動作を行うようにしたので、防火シャッターの近傍にいる人などが必要な情報を入手できるようになる。例えば、表示に係るメッセージによっては、避難経路を知得することができる。
【００６６】
また、防火シャッター１の突然の作動によって驚き戸惑うようなことを防止又は緩和することができる。
【００６７】
さらに、表示機器１０を独立したユニットとして構成し、しかも、他の要素は既存構成をほとんどそのまま適用できるので、既に設置されている防火シャッターに対しても、当該表示機器１０の追加設置を容易に行うことができる。
【００６８】
さらにまた、表示動作は、視覚的及び聴覚的な双方の動作であるので、情報提供をより確実に行うことができる。例えば、スピーカからの有効な聴取範囲が狭くても、ランプによる表示範囲をそれを越えるようにすることができ、シャッターが閉鎖動作していることをより確実に伝えることができる。
【００６９】
また、表示機器１０内の電源部３０は、２次電池３３を備えて表示部２０に対する電源供給を行うようにしているので、火災などによって１次電源の供給が停止したとしても、表示動作を継続して行うことができる。ここで、２次電池３３への充電を、１次電源より太陽電池３１からの電力を優先させるようにすれば、当該防火シャッター１の維持などの費用を押さえることができる。
【００７０】
さらに、スラット動作状態検知部９及び表示機器１０間を結ぶ信号線（配線）１１を金属モールで保護するようにしたので、火災時の炎に対して内部配線を保護でき、外部からの衝撃に対する耐性が大きく、経時変化が少なく、金属光沢のために、見栄えが良好である。
【００７１】
（Ｂ）変形実施形態
上述した実施形態の防火シャッター１の説明においても、種々変形の余地を説明したが、さらに、以下に例示するような他の実施形態も、本発明の技術的範囲に属するものである。
【００７２】
（Ｂ−１）上述した実施形態の説明では、スラット３が全閉鎖（又は全閉鎖直前）したときには、表示動作を終了させるものを示したが、自動的な表示動作の終了条件を設けないようにしても良い。すなわち、閉鎖動作の起動で開始された表示動作は、表示機器１０が火災によって破壊されるまで、又は、人によって終了が指示されるまで、継続させるようにしても良い。図６は、この場合の防火シャッター１における火災発生からの全体動作の概要を表示動作を中心に示すフローチャートであり、上述した図５に対応するものである。この場合には、表示動作を開始することで動作の流れは停止する。なお、人によって終了が指示されたときには、割込処理によって表示動作が終了する。また、全閉鎖の検知は行わないので、スラット動作状態検知部９から、全閉鎖の検知構成を省略できる。
【００７３】
全閉鎖後に表示動作を実行しないことは、電源部３０での電力消費を押さえることができるという利点や、建物全体に対する避難誘導のための表示がある場合には、その表示を妨害しないという利点などがある。一方、全閉鎖後でも表示動作を継続することは、避難誘導のメッセージを継続提供できるなど、閉鎖動作に直接関係しない情報提供機能を充実できるという利点を有する。
【００７４】
また、上述した実施形態の説明では、スラット３が全閉鎖（又は全閉鎖直前）したときには、表示動作を終了させるものを示したが、閉鎖動作が起動されてから、所定時間後に表示動作を終了させるようにしても良い。この場合には、表示機器２０内の動作制御部２２は、図７に示すように、ハードウェア又はソフトウェアによるタイマ２２ａを有することを要する。図８は、この場合の防火シャッター１における火災発生からの全体動作の概要を表示動作を中心に示すフローチャートであり、上述した図５に対応するものである。図８に示すように、この場合には、全閉鎖を監視する代わりに、動作制御部２２によるタイマ２２ａの起動、所定時間の計時の監視処理（ステップＳ７、Ｓ８）が必要となる。
【００７５】
ここで、所定時間を短くすると、電源部３０での電力消費を極力抑えることができるという利点を有する。また、表示動作が騒がしいこともあり、時間軽減が必要なこともあり得る。さらに、例えば、「閉鎖動作しています。避難して下さい。」というメッセージの場合には、開口部での閉鎖されていない面積が小さくなった場合には、適切ではなくなるが、このようなことを表示動作時間を所定時間とすることで防ぐこともできる。
【００７６】
なお、タイマ２２ａによる計時時間を設置者が任意に設定できるようにしても良い。防火シャッター１の設置場所の状況に応じて、計時時間を任意に設定すれば良い。
【００７７】
また、全閉鎖で表示動作を停止させることと、タイマ２２ａの所定時間の計時で表示動作を停止させることのいずれかを選択可能に表示機器１０を構成しても良い。
【００７８】
（Ｂ−３）上述した実施形態の説明では、表示動作の表示態様が１種類のものを示したが、スラット３の位置などに応じて切り替えられるように、表示態様が２種類以上あっても良い。
【００７９】
図９は、２種類の表示態様に応じられる表示機器１０の表示部２０の詳細構成例を示すものであり、上述した図３との同一、対応部分には同一、対応符号を付して示している。
【００８０】
図９に示す表示部２０は、音声合成部として、異なるメッセージに係る２種類（２チャネル）のもの２４−１及び２４−２が設けられている（なお、物理的に１個の音声合成部でも多チャネル対応であれば、２種類の音声合成部を設けたと等価である）。動作制御部２２は、表示動作期間において、一方のチャネルの音声合成部２４−１又は２４−２を択一的に機能させる。また、ランプ２３として２種類の表示態様に応じられるものを適用し、動作制御部２２は、表示動作期間において、ランプ２３の表示態様を択一的に指示する。ランプ２３の２種類の表示態様としては、ランプ２３が点滅表示を行うものであれば、点滅周期が長いもの（点滅速度が遅いもの）と点滅周期が短いもの（点滅速度が速いもの）とにし、また、ランプ２３が回転点灯するものであれば、回転速度が遅いものと回転速度が速いものにする。なお、ランプ２３として、点灯色が異なる２種類のものを用意し、一方だけを点灯又は点滅させることで２種類の表示態様に応じるようにしても良い。
【００８１】
図１０は、表示機器１０が２種類の表示態様に応じられる場合の防火シャッター１における火災発生からの全体動作の概要を表示動作を中心に示すフローチャートであり、上述した図５に対応するものである。図１０の例の場合、全閉鎖の前後で表示態様を変えるものである。
【００８２】
図１０において、当該防火シャッター１は外部装置から防災信号が与えられることを監視しており（ステップＳ１１）、外部装置から、当該防火シャッター１に動作信号が与えられると、自動閉鎖装置８は、開閉機６に対してスラット３の閉鎖動作を起動させ、開閉機６の駆動力が動力伝達機構７を介して巻取シャフト５に伝達されてスラット３が降下し始める（ステップＳ１２）。また、スラット３の閉鎖動作の起動は、スラット動作状態検知部９によって検出されて表示機器１０に通知される（ステップＳ１３）。
【００８３】
スラット３の閉鎖動作の起動が通知された表示機器１０においては、表示部２０が、電源部３０からの電源供給を受けて第１の表示態様での表示動作を実行する（ステップＳ１４）。すなわち、閉鎖動作中であるので、動作制御部２２は、ランプ２３に対して注意の喚起力が高い方の表示態様（点滅速度や回転速度が速い；赤色ランプの点灯）での表示動作を実行させ、また、閉鎖動作中用のメッセージに係る音声合成部２４−１から、所定のメッセージに係る音声信号をスピーカ２５に与えさせて、スピーカ２５からメッセージ音声信号を発音出力させる。
【００８４】
この場合のメッセージの一例としては、「シャッターが動作しています。ご注意下さい。」を挙げることができる。
【００８５】
このような第１の表示態様での表示動作は、スラット動作状態検知部９が、スラット３による全閉鎖（又は全閉鎖直前）を検知するまで実行される（ステップＳ１５）。表示機器１０は、スラット動作状態検知部９から、スラット３による全閉鎖（又は全閉鎖直前）が通知されたときには、電源部３０からの電源供給を受けて第２の表示態様での表示動作を実行する（ステップＳ１６）。すなわち、閉鎖後であるので、動作制御部２２は、ランプ２３に対して注意の喚起力が低い方の表示態様（点滅速度や回転速度が遅い；緑色ランプの点灯）での表示動作を実行させ、また、閉鎖後用のメッセージに係る音声合成部２４−２から、所定のメッセージに係る音声信号をスピーカ２５に与えさせて、スピーカ２５からメッセージ音声信号を発音出力させる。この場合のメッセージの一例としては、「右側の非常口から避難して下さい。」を挙げることができる。
【００８６】
なお、第２の表示態様での表示動作にも、時間制限を設けるようにしても良いことは勿論である。
【００８７】
図１１は、以上のような閉鎖動作中と全閉鎖後とで表示態様を変える場合でのスラット動作状態検知部９の具体的な構成例を示すブロック図である。
【００８８】
この例のスラット動作状態検知部９は、上限リミットスイッチ９ａと、２個の下限リミットスイッチ９ｂ１及び９ｂ２とからなるものである。
【００８９】
ここで、上限リミットスイッチ９ａと一方の下限リミットスイッチ９ｂ１とが第１の表示態様（期間）を指示するものである。すなわち、スラット３の降下起動によって上限リミットスイッチ９ａが動作し、これにより、上限リミットスイッチ９ａ及び下限リミットスイッチ９ｂ１を介した電流経路が導通し、表示機器１０内の入力検出部２１は第１の表示態様での表示の必要性を検出し、その後、スラット３の全閉鎖によって下限リミットスイッチ９ｂ１が動作することにより、導通していた電流経路が遮断され、表示機器１０内の入力検出部２１は第１の表示態様での表示動作の終了の必要性を検出する。すなわち、上限リミットスイッチ９ａが動作してから下限リミットスイッチ９ｂ１が動作するまでの期間、上限リミットスイッチ９ａ及び下限リミットスイッチ９ｂ１を介した電流経路が導通し、この導通期間において第１の表示態様での表示動作が実行される。
【００９０】
他方の下限リミットスイッチ９ｂ２は、スラット３の全閉鎖によって動作するものであり、この動作によって、当該下限リミットスイッチ９ｂ２を介する電流経路が導通し、表示機器１０内の入力検出部２１は第２の表示態様での表示動作の必要性を検出する。すなわち、下限リミットスイッチ９ｂ２が動作した以降、第２の表示態様での表示動作が実行される。
【００９１】
以上のように、複数の表示態様を有するようにすると、スラット３の位置などに応じて、適切な情報提供を行うことができる。
【００９２】
（Ｂ−４）上述した実施形態の説明では、スラット３の閉鎖動作が全閉鎖になるまで連続して実行される防火シャッターを示したが、閉鎖動作一時停止型の防火シャッターにも本発明を適用することができる。
【００９３】
閉鎖動作一時停止型の防火シャッターは、火災発生によって閉鎖が起動された場合には、まず、図１２（ａ）に示す開放状態から図１２（ｂ）に示す座板３ａが開口部の中間位置に位置するまでスラット３を降下させ、その位置でスラット３の降下を一旦停止させ、その後、再降下条件が成立したときに、図１２（ｂ）に示す中間位置からスラット３を再降下させ、図１２（ｃ）に示す全閉鎖状態にするものである。すなわち、火災発生時には、スラット３を途中まで降下させて避難路の機能を果たしながら煙の拡散を防止し、その停止時間が所定時間になったときや、中央監視センタなどからの再降下信号などの到来時に再降下して全閉鎖させ、防災機能を果たす。
【００９４】
このような閉鎖動作一時停止型の防火シャッターにおいて、例えば、再降下の起動前後で表示機器１０の表示態様を変えるようにすることができる。
【００９５】
この場合における表示機器の内部構成は、上述した図９に示した複数の表示態様に応じられる構成を適用できる。
【００９６】
図１３は、表示機器１０が再降下の起動前後で異なっている表示態様に応じられる場合の防火シャッター１における火災発生からの全体動作の概要を表示動作を中心に示すフローチャートであり、上述した図５に対応するものである。
【００９７】
図１３において、当該防火シャッター１（自動閉鎖装置８）は外部装置から防災信号が与えられることを監視しており（ステップＳ２１）、外部装置から、当該防火シャッター１に動作信号が与えられると、自動閉鎖装置８は、開閉機６に対してスラット３の閉鎖動作を起動させ、開閉機６の駆動力が動力伝達機構７を介して巻取シャフト５に伝達されてスラット３が降下し始める（ステップＳ２２）。また、スラット３の閉鎖動作の起動は、スラット動作状態検知部９によって検出されて表示機器１０に通知される（ステップＳ２３）。
【００９８】
スラット３の閉鎖動作の起動が通知された表示機器１０においては、表示部２０が、電源部３０からの電源供給を受けて、再降下起動前用の表示態様での表示動作を実行する（ステップＳ２４）。例えば、動作制御部２２は、ランプ２３に対して注意の喚起力が低い方の表示態様（点滅速度や回転速度が遅い；黄色ランプの点灯）での表示動作を実行させ、また、再降下起動前用のメッセージに係る音声合成部２４−１から、所定のメッセージに係る音声信号をスピーカ２５に与えさせて、スピーカ２５からメッセージ音声信号を発音出力させる。この場合のメッセージの一例としては、「避難して下さい。」を挙げることができる。
【００９９】
その後、スラット３の降下量が図１２（ｃ）に示す量となった所で、降下を停止させる（ステップＳ２５）。このスラット３の停止状態においても、再降下起動前用の表示態様での表示動作は継続して実行されている。
【０１００】
このようなスラット３の停止状態では、自動閉鎖装置８は再降下起動条件の成立を監視しており（ステップＳ２６）、再降下起動条件が成立すると、自動閉鎖装置８は、開閉機６に対してスラット３の閉鎖動作を再起動させ、開閉機６の駆動力が動力伝達機構７を介して巻取シャフト５に伝達されてスラット３が再降下し始める（ステップＳ２７）。また、スラット３の閉鎖動作の再起動は、スラット動作状態検知部９によって検出されて表示機器１０に通知される（ステップＳ２８）。
【０１０１】
スラット３の閉鎖動作の再起動（スラット３の再降下）が通知された表示機器１０においては、表示部２０が、電源部３０からの電源供給を受けて、再降下起動後用の表示態様での表示動作を実行する（ステップＳ２９）。例えば、動作制御部２２は、ランプ２３に対して注意の喚起力が高い方の表示態様（点滅速度や回転速度が速い；赤色ランプの点灯）での表示動作を実行させ、また、再降下起動後用のメッセージに係る音声合成部２４−２から、所定のメッセージに係る音声信号をスピーカ２５に与えさせて、スピーカ２５からメッセージ音声信号を発音出力させる。この場合のメッセージの一例としては、「シャッターが動作しています。ご注意下さい。」を挙げることができる。
【０１０２】
このような再降下起動後用の表示態様での表示動作は、スラット動作状態検知部９が、スラット３による全閉鎖（又は全閉鎖直前）を検知するまで実行される（ステップＳ３０、Ｓ３１）。すなわち、表示機器１０は、スラット動作状態検知部９から、スラット３による全閉鎖（又は全閉鎖直前）が通知されたときには、ランプ２３による視覚的な表示動作や、スピーカ２５からの聴覚的な表示動作を終了させる。
【０１０３】
図１４は、以上のような再降下起動前後で表示態様を変える場合でのスラット動作状態検知部９の具体的な構成例を示すブロック図である。
【０１０４】
この例のスラット動作状態検知部９は、上限リミットスイッチ９ａと、２個の中間リミットスイッチ９ｆ１及び９ｆ２と、下限リミットスイッチ９ｂとからなるものである。
【０１０５】
ここで、上限リミットスイッチ９ａと一方の中間リミットスイッチ９ｆ１とが再降下起動前での表示態様を指示するものである。すなわち、スラット３の閉鎖起動によって上限リミットスイッチ９ａが動作し、これにより、上限リミットスイッチ９ａ及び中間リミットスイッチ９ｆ１を介した第２の電流経路が導通する。この電流経路の導通は、スラット３の再降下によって中間リミットスイッチ９ｆ１が動作したときに終了する。
【０１０６】
また、他方の中間リミットスイッチ９ｆ２と下限リミットスイッチ９ｂとが再降下での表示態様を指示するものである。すなわち、スラット３の再降下起動によって中間リミットスイッチ９ｆ２が動作し、これにより、中間リミットスイッチ９ｆ２及び下限リミットスイッチ９ｂを介した電流経路が導通する。この電流経路の導通は、スラット３の全閉鎖によって下限リミットスイッチ９ｂが動作したときに終了する。
【０１０７】
なお、表示動作とは直接関係はしないので、図示は省略しているが、スラット３を中間位置で停止させるために、その停止位置を検出するためのリミットスイッチも設けられている。
【０１０８】
以上のように、閉鎖動作一時停止型の防火シャッターにおいて、再降下起動の前後で表示動作の表示態様を変えるようにしたので、再降下起動の前後で適切な情報提供を行うことができる。
【０１０９】
なお、閉鎖動作一時停止型の防火シャッターにおいて、全閉鎖後において、さらに異なる表示態様での表示動作を実行させるようにしても良い。
【０１１０】
以上では、閉鎖動作一時停止型の防火シャッターについて説明したが、全閉鎖状態になるまで閉鎖動作が停止しない防火シャッターであっても、閉鎖されていない開口部の面積に応じて閉鎖動作途中において表示動作の表示態様を変化させるようにしても良い。
【０１１１】
（Ｂ−５）電源部３０の構成は、上述した図４に示すものに限定されないことは勿論である。すなわち、１次電源からのみ所要の電力を得るものであっても良く、単なる充電機能がない電池だけを適用するようにしても良い。また、当該防火シャッター１が設置されている建物が、１次電源の他に、火災発生などの非常時に供給動作を行う非常制御電源を有するものであれば、その非常制御電源を表示動作に必要な電源とするようにしても良い。
【０１１２】
充電機能の有無を問わず、電池を電源部３０の中心にそえることは、１次電源の配線がない場所の防火シャッターに表示機器１０を接続できるという利点を有する。
【０１１３】
なお、表示動作を確実に行うことができるように、２種類の電源供給方法を併用することが好ましい。例えば、電池と非常制御電源とを併用し、非常制御電源による供給がない段階で表示動作が必要となったときには電池からの電源供給で表示動作を行い、非常制御電源による供給があればこの供給によって表示動作を行うようにしても良い。
【０１１４】
また、表示動作に必要な電力を、スラット３の降下時でのエネルギーを利用して得るようにしても良い。例えば、降下エネルギーをダイナモで電力に変換したり、ゼンマイなどに蓄積されるエネルギーを圧電素子などを利用して電力に変換したりして、表示動作に利用するようにしても良い。
【０１１５】
（Ｂ−６）上述した実施形態においては、表示部２０及び電源部３０が同一のユニットに設けられたものを示したが、別個のユニットで構成し、表示部２０及び電源部３０間を電線で接続するようにしても良い。この場合の電線も金属モールされていることが好ましい。
【０１１６】
以上のように、表示部２０及び電源部３０とを別個のユニットで構成した場合には、表示部２０と電源部３０の保守作業を切り離して実行できるようになる。
【０１１７】
また、表示部２０や電源部３０が複数種類ある場合において、任意の組合せで表示機器１０を構成することができるようになる。例えば、太陽電池を利用した電源部ユニットは、周囲光の光量が少ないところでは適用し難く、また、１次電源を利用する電源部ユニットは、１次電源の供給配線がなされていないところでは適用し難く、表示部ユニットとして同じものを複数の場所に設置する場合であっても、その設置場所に応じて電源部ユニットを変えるようにしても良い。
【０１１８】
なお、表示部２０及び電源部３０を一体化したユニットは、設置作業や保守作業が容易であるという利点を有する。
【０１１９】
（Ｂ−７）上述した実施形態の説明では、表示機器１０の構成要素は全て、自動閉鎖装置８などの構成要素とは独立したものであったが、一部の構成要素を、表示機器１０と自動閉鎖装置８などとで併用するようにしても良い。例えば、自動閉鎖装置８がＣＰＵを有するものであれば、そのＣＰＵに表示機器１０における動作制御部２２の機能をも担うようにさせても良い。
【０１２０】
（Ｂ−８）上述した実施形態の説明では、視覚的及び聴覚的な表示動作を行うものであったが、いずれか一方の感覚に対する表示動作を行うものであっても良い。また、触覚的な表示動作を行うようにしても良い。例えば、点字板を表示窓に移動させることで触覚的な表示動作を行うことができる。
【０１２１】
視覚的な表示動作や聴覚的な表示動作も、上述した実施形態のものに限定されるものではない。例えば、ディスプレイ上に文字メッセージを表示させることで視覚的な表示動作を行うようにしても良い。また例えば、ブザーを鳴動させることで、聴覚的な表示動作を行うようにしても良い。
【０１２２】
また、視覚的な表示動作と聴覚的な表示動作とで表示終了時間を変えたり、聴覚的な表示動作を先に実行しその後に視覚的な表示動作を行うようにしても良い。
【０１２３】
さらに、ディスプレイ上に文字メッセージを表示することと、ランプの点灯、点滅とを同時に行うように、同一の感覚に訴える表示方法を併用するようにしても良い。
【０１２４】
（Ｂ−８）上述の実施形態では、本発明を防火シャッターに適用したものを示したが、本発明は、防火用途以外のシャッターに適用できるだけでなく、ドア、オーバーヘッドドア、ブラインド、ロールスクリーン等のシャッター以外の建物開口部用開閉装置に対しても適用できるものである。
【０１２５】
適用対象によっては、当然に、閉鎖起動は手動によって（例えばリモコン）発行されるものもある。また、適用対象によっては、閉鎖起動に基づく表示動作だけでなく、開放起動による表示動作を実行させるようにしても良い。
【０１２６】
【発明の効果】
以上のように、本発明によれば、表示手段の表示動作によって、建物開口部用開閉装置の周囲の人は、その表示が意味する情報を知得することができる。
【図面の簡単な説明】
【図１】実施形態の防火シャッターの全体構成を示す概略構成図である。
【図２】スラット動作状態検知部の詳細構成例（１）を示すブロック図である。
【図３】表示部の詳細構成例（１）を示すブロック図である。
【図４】電源部の詳細構成例を示すブロック図である。
【図５】防火シャッターの概略動作（１）を示すフローチャートである。
【図６】防火シャッターの概略動作（２）を示すフローチャートである。
【図７】表示部の詳細構成例（２）を示すブロック図である。
【図８】防火シャッターの概略動作（３）を示すフローチャートである。
【図９】表示部の詳細構成例（３）を示すブロック図である。
【図１０】防火シャッターの概略動作（４）を示すフローチャートである。
【図１１】スラット動作状態検知部の詳細構成例（２）を示すブロック図である。
【図１２】閉鎖動作一時停止型の防火シャッターの説明図である。
【図１３】防火シャッターの概略動作（５）を示すフローチャートである。
【図１４】スラット動作状態検知部の詳細構成例（３）を示すブロック図である。
【符号の説明】
１…防火シャッター、３…スラット、６…開閉機、８…自動開閉装置、９…スラット動作状態検知部、１０…表示機器、２０…表示部、３０…電源部。
【図１】
0003724973.tif 000002
【図２】
0003724973.tif 000003
【図３】
0003724973.tif 000004
【図４】
0003724973.tif 000005
【図５】
0003724973.tif 000006
【図６】
0003724973.tif 000007
【図７】
0003724973.tif 000008
【図８】
0003724973.tif 000009
【図９】
0003724973.tif 000010
【図１０】
0003724973.tif 000011
【図１１】
0003724973.tif 000012
【図１２】
0003724973.tif 000013
【図１３】
0003724973.tif 000014
【図１４】
0003724973.tif 000015